(57)【要約】【課題】天面に設けた電装ユニットへの水侵入を防止して信頼性の高い冷蔵庫を提供する。【解決手段】冷蔵庫本体の天面部に埋め込んだ電装ユニットの電装収納箱２０の周囲に水切り溝２３を設けるとともに、前記電装カバー２２の周囲には前記水切り溝２３に挿入するフランジ部２４を設け、かつ前記水切り溝には前記収納ケースの外部につながる排出口２５を設けた構成としてある。これにより、電装ユニットの上に水がこぼれてもその水は電装カバー周囲のフランジ部を伝って電装収納箱周囲の水切り溝内に流れ込み、排出口を介して電装収納箱外部へと流出することになる。したがって、水が電装収納箱内に侵入するのを防止できる。【選択図】図９
2015059699.tif 000002
【特許請求の範囲】
【請求項１】
冷蔵庫本体の天面部に電装ユニットを埋め込み、前記電装ユニットは電装収納箱とその中に配置した制御基板と前記電装収納箱の上面を覆う電装カバーとからなり、前記電装収納箱はその周囲に水切り溝を設けるとともに、前記電装カバーの周囲には前記水切り溝に挿入するフランジ部を設け、かつ前記水切り溝に前記電装収納箱の外部につながる排出口を設けた冷蔵庫。
【請求項２】
水切り溝の外側壁は内側壁より高さを低くした請求項１記載の冷蔵庫。
【請求項３】
制御基板は電装収納箱の中央に配置し、前記制御基板からの冷蔵庫本体への配線は前記電装収納箱の両端に配置した請求項１または２記載の冷蔵庫。
【請求項４】
冷蔵庫本体の天面後部に圧縮機とこれを冷却するファンとを有する機械室を設け、前記機械室に隣接して前記電装ユニットを配置し、前記機械室を形成する機械室ケースの電装収納箱側と電装収納箱の機械室ケース側とを連結した請求項１〜３のいずれか１項記載の冷蔵庫。
【請求項５】
電装収納箱の機械室側開口縁部と水切り溝の概側壁のいずれか一方に係止孔を、他方に係止片を設け、この係止片と係止孔とを係合させて機械室収納ケースの電装収納箱側と電装収納箱の機械室ケース側とを連結した請求項４記載の冷蔵庫。
【発明の詳細な説明】
【技術分野】
【０００１】
本発明は、冷蔵庫、特にその電装ユニット設置構成に関するものである。
【背景技術】
【０００２】
一般に冷蔵庫は、圧縮機で冷媒を圧縮し、この冷媒を冷却器で蒸発させて冷気を生成し、当該冷気をファンにより冷蔵室、冷凍室等に供給して食品を冷却するようになっている。そして、このような冷蔵庫の中には、上記圧縮機、ファン等を制御する電装ユニットを冷蔵庫本体の天面に設けたものが見られる（例えば、特許文献１参照）。
【０００３】
図１１は特許文献１に記載された冷蔵庫を示し、冷蔵室１０１、冷凍室１０２、野菜室１０３を有する冷蔵庫本体１０４の天面後部に電装ユニット１０５が設けてある。
【０００４】
この冷蔵庫は電装ユニット１０５を冷蔵庫本体１０４の天面に設けてあるから、電装ユニット１０５を冷蔵庫本体１０４の背面に設ける場合に比べ冷蔵庫本体１０４の背面部壁厚を薄くでき、その分、冷蔵室１０１、冷凍室１０２、野菜室１０３の収納容積を増大させることができる。
【先行技術文献】
【特許文献】
【０００５】
【特許文献１】特開２００６−１８９１７９号公報
【発明の概要】
【発明が解決しようとする課題】
【０００６】
しかしながら、前記従来のように電装ユニット１０５を天面に設けた場合、当該電装ユニット１０５の上面に品物を載置されることがあって当該品物に水が入っているような場合、この品物が転倒して水が電装ユニット上面に流出すると当該水が前記電装ユニット１０５内に侵入して故障等に結びつく懸念があった。
【０００７】
そこで本発明はこのような点に鑑みてなしたもので、電装ユニット内に水が侵入するのを防止して故障発生の恐れ払拭した信頼性の高い冷蔵庫を提供することを目的とする。
【課題を解決するための手段】
【０００８】
前記従来の課題を解決するために、本発明の冷蔵庫は、冷蔵庫本体の天面部に電装ユニットを埋め込み、前記電装ユニットは電装収納箱とその中に配置した制御基板と前記電装収納箱の上面を覆う電装カバーとからなり、前記電装収納箱はその周囲に水切り溝を設けるとともに、前記電装カバーの周囲には前記水切り溝に挿入するフランジ部を設け、かつ前記水切り溝には前記収納ケースの外部につながる排出口を設けた構成としてある。
【０００９】
これにより、天板に埋め込み設置した電装ユニットの上に水がこぼれてこれが電装カバー上を広がってもこの水は電装カバー周囲のフランジ部を伝って電装収納箱周囲の水切り溝内に流れ込み、排出口を介して電装収納箱外部へと流出することになる。したがって、水が電装収納箱内に侵入するのを防止できるのはもちろん、当該水の量が水切り溝内に収まりきらない量であっても排出口から速やかに流出するので電装収納箱内への水侵入を確実に防止することができる。
【発明の効果】
【００１０】
本発明の冷蔵庫は、上記した構成によって、電装ユニット上に水がこぼれたとしてもこ
の水が電装ユニット内に侵入するのを防止でき、水侵入による故障の恐れを解消して信頼性の高い冷蔵庫とすることができる。
【図面の簡単な説明】
【００１１】
【図１】本発明の実施の形態１に置ける冷蔵庫の斜視図
【図２】同実施の形態１における冷蔵庫を背面側から見た斜視図
【図３】同実施の形態１における冷蔵庫の縦断面図
【図４】同実施の形態１における冷蔵庫の天面の断面図
【図５】同実施の形態１における冷蔵庫の機械室カバーと電装カバーを外した時の背面上部を示す斜視図
【図６】同実施の形態１における冷蔵庫の機械室カバーを外した時の背面上部の分解斜視図
【図７】同実施の形態１における冷蔵庫の電装ユニットを示す分解斜視図
【図８】同実施の形態１における冷蔵庫を示す図５のＡ−Ａ要部断面図
【図９】同図５のＢ−Ｂ要部断面図
【図１０】同図５のＣ−Ｃ断面図
【図１１】従来の冷蔵庫の断面図
【発明を実施するための形態】
【００１２】
第１の発明は、冷蔵庫本体の天面部に電装ユニットを埋め込み、前記電装ユニットは電装収納箱とその中に配置した制御基板と前記電装収納箱の上面を覆う電装カバーとからなり、前記電装収納箱はその周囲に水切り溝を設けるとともに、前記電装カバーの周囲には前記水切り溝に挿入するフランジ部を設け、かつ前記水切り溝には前記電装収納箱の外部につながる排出口を設けた構成としてある。
【００１３】
これにより、天板に埋め込み設置した電装ユニットの上に水が流出してこれが電装カバー上に広がってもこの水は電装カバー周囲のフランジ部を伝って電装収納箱周囲の水切り溝内に流れ込み、排出口を介して電装収納箱外へと流出することになる。したがって、水が電装収納箱内に侵入するのを防止できるのはもちろん、当該水の量が水切り溝内に収まりきらない量であっても排出口から速やかに流出するので電装収納箱内への水侵入を確実に防止することができる。
【００１４】
第２の発明は、第１の発明において、前記水切り溝の外側壁は内側壁より高さを低くした構成としてある。
【００１５】
これにより、水切り溝内に流れ込んだ水が排出口から排出しきれずに溜まり始めてもこの水は外側壁を乗り越えて電装収納箱外へと流出することになり、電装収納箱内への水侵入をさらに確実に防止することができる。
【００１６】
第３の発明は、第１または第２の発明において、前記制御基板は電装収納箱の中央に配置し、前記制御基板からの冷蔵庫本体への配線は前記電装収納箱の両端に配置した構成としてある。
【００１７】
これにより、電装収納箱の内外とを結ぶ水が浸入しやすい配線通路を制御基板から遠ざけることができるので電装収納箱内への水侵入を確実に防止することができる。
【００１８】
第４の発明は、第１〜第３の発明において、前記冷蔵庫本体の天面後部に圧縮機とこれを冷却するファンとを有する機械室を設け、前記機械室に隣接して前記電装ユニットを配置し、前記機械室を形成する機械室ケースの電装収納箱側と電装収納箱の機械室ケース側とを連結した構成としてある。
【００１９】
これにより、電装ユニットと機械室との接合部分の強度を向上させることができ、冷蔵庫本体天井面に充填した発泡断熱材の発泡圧が前記電装ユニットと機械室との接合部分に集中的に加わるようなことがあっても、何ら専用の補強部材を設けることなくその接合部分の変形を防止でき、電装ユニットおよび圧縮機設置用の大きな開口が形成されて強度が弱くなりがちな天面であってもその変形を抑制し外観平面度の良好なものとすることができる。
【００２０】
第５の発明は、第４の発明において、前記電装収納箱の機械室側開口縁部と水切り溝の概側壁のいずれか一方に係止孔を、他方に係止片を設け、この係止片と係止孔とを係合させて機械室収納ケースの電装収納箱側と電装収納箱の機械室ケース側とを連結した構成としてある。
【００２１】
これにより、水切り溝を利用して合理的に天面の変形を抑制し外観平面度を良好なものとすることができる。
【００２２】
以下、本発明の実施の形態について、図面を参照しながら説明する。なお、この実施の形態によってこの発明が限定されるものではない。
【００２３】
（実施の形態１）
図１は本発明の実施の形態１に置ける冷蔵庫の斜視図、図２は同実施の形態１における冷蔵庫を背面側から見た斜視図、図３は同実施の形態１における冷蔵庫の縦断面図、図４は同実施の形態１における冷蔵庫の天面の断面図、図５は同実施の形態１における冷蔵庫の機械室カバーと電装カバーを外した時の背面上部を示す斜視図、図６は同実施の形態１における冷蔵庫の機械室カバーを外した時の背面上部の分解斜視図、図７は同実施の形態１における冷蔵庫の電装ユニットを示す分解斜視図、図８は同実施の形態１における冷蔵庫を示す図５のＡ−Ａ要部断面図、図９は同図５のＢ−Ｂ要部断面図、図１０は同図５のＣ−Ｃ断面図である。
【００２４】
図１において、１は冷蔵庫、２はその冷蔵庫本体で、内部には冷蔵室、冷凍室、野菜室等の複数の貯蔵室が設けてあり、扉２ａで開閉自在となっている。３は冷蔵庫本体２の天面後部に設置された上部機械室で、冷蔵庫本体２の天面後部に機械室ケース３ａ（図５、図６参照）を嵌め込み装着して形成してある。この機械室３には、図３に示す様に、風上から順に空冷凝縮器４、第１のファン５、圧縮機６が設置されており、第１のファン５を駆動することにより空冷凝縮器４と圧縮機６が空冷される。
【００２５】
上記、第１のファン５はファンリング７に取り付けられ、ファンリング７は上部機械室３内の風路を第１のファン５の風上側と風下側に区分している。また、空冷凝縮器４の上部には、空冷凝縮器４を通過せずに第１のファン５に直接吸入される外気が通過するバイパス風路８を形成している。なお、バイパス風路８は空冷凝縮器４が埃付着などによって閉塞した場合に、外気を直接第１のファン５に供給するものであり、空冷凝縮器４の１０％〜１５％程度の高さに相当する５〜１５ｍｍの空間が望ましい。
【００２６】
また、前記冷蔵庫本体２の背面下部には下部機械室９が設けてあり、この下部機械室９には風上から順に蒸発皿１１、第２のファン１０が設置されている。そして、第２のファン１０を駆動することにより、冷蔵庫本体２の下部付近の外気を吸入して蒸発皿１１に貯留された除霜水の蒸発を促進するとともに、冷蔵庫本体コーナ部に設けた連通風路１２を介して前記除霜水の蒸発により冷却された外気を前記上部機械室３内の空冷凝縮器４に供給する。
【００２７】
ここで、上部機械室３を設けた冷蔵庫本体２の天面１４は、図４に示す様に、外箱２ｂと内箱２ｃとの間に発泡ウレタン等の発泡断熱材１５を充填し、更に真空断熱材１６，１７を装着して構成してある。そして、前記機械室３の前方部分に前記圧縮機６、第１のファン５、第２のファン１０、操作表示部（図示せず）等を制御する電装ユニット１８が埋め込み装着してある。
【００２８】
電装ユニット１８は、図７に示す様に、保護ケース１９で下方部を保護された樹脂製の電装収納箱２０と、電装収納箱２０内に配置した制御基板２１と、前記電装収納箱２０の上面を覆う金属製の電装カバー２２とからなり、前記電装収納箱２０を天面１４の前記機械室３前方部分に埋め込んで装着してある。
【００２９】
上記電装収納箱２０は図８に示す様にその周囲に水切り溝２３を設けるとともに、前記電装カバー２２はその周囲に前記水切り溝２３に挿入するフランジ部２４が設けてある。さらに、前記水切り溝２３はその外側壁２３ａの高さを内側壁２３ｂの高さより低く設定するとともに、図９に示す様に、底部に前記電装収納箱２０の外部につながる排出口２５が設けてある。
【００３０】
また、前記電装収納箱２０は、図１０に示す様に、前記機械室ケース３ａ側の開口縁部の長手方向に複数の係止片２６を一体形成し、この係止片２６を前記機械室ケース３ａの電装収納箱２０側の開口縁部に設けた係止孔２７に嵌合弾着させて一体に係合させてある。
【００３１】
一方、前記電装収納箱２０内に配置した制御基板２１は図７に示す様に電装収納箱２０の中央に配置し、前記冷蔵庫本体各部に設けられた圧縮機６や操作表示部等の各種電装部品への配線２８が前記電装収納箱２０の両端凹所２９よりパッキン（図示せず）を介して引出してある。
【００３２】
なお、上記冷蔵庫本体２の天面１４に設けた真空断熱材１６，１７は、当該天面１４の冷蔵室面側に設けてある庫内照明灯３０と前記天面１４の上面に設けてある前記電装ユニット１８に対応させて外箱２ｂ及び内箱２ｃに直接貼り付けてあり、その端部は互いにオーバーラップしていて天面１４前後方向を切れ目なく断熱している。
【００３３】
以上のように構成したこの冷蔵庫は、冷蔵庫本体２の天面１４に設けた電装ユニット１８の電装収納箱２０はその周囲に水切り溝２３を有し、かつ、前記電装収納箱２０の上面を覆う前記電装カバー２２の周囲には前記水切り溝２３に挿入するフランジ部２４を設けてあるから、天面１４に埋め込み設置した電装ユニット１８の上に水が流出してこれが電装カバー２２上に広がっても、この水は電装カバー２２周囲のフランジ部２４を伝って電装収納箱２０周囲の水切り溝２３内に流れ込み、排出口２５を介して電装収納箱２０外へと流出することになる。したがって、水が電装収納箱２０内に侵入するのを防止できる。
【００３４】
しかも、上記水切り溝２３には前記電装収納箱２０の外部につながる排出口２５を設けてあるから、水切り溝２３内に流れ込む水の量が当該水切り溝２３内に収まりきらない量であっても、この水は排出口２５から流出しつづけるので速やかに排出される。よって、電装収納箱２０内への水侵入を確実に防止することができる。
【００３５】
また、この実施の形態では、前記水切り溝２３の外側壁２３ａの高さを内側壁２３ｂの高さより低くしてあるから、水切り溝２３内に流れ込んだ水が排出口２５から排出しきれずに溜まり始めてもこの水は外側壁２３ａを乗り越えて電装収納箱２０外へと流出することになり、電装収納箱２０内への水侵入をさらに確実に防止することができる。
【００３６】
またこの冷蔵庫では、制御基板２１を電装収納箱２０の中央に配置し、冷蔵庫本体各部に設けられた圧縮機６や操作表示部等の各種電装部品への配線２８が前記電装収納箱２０の両端凹所２９よりパッキン（図示せず）を介して引出してあるので、電装収納箱２０の内外とを結ぶ水が浸入しやすい配線通路である両端凹所２９を制御基板２１から遠ざけることができ、電装収納箱２０内への水侵入を確実に防止することができる。
【００３７】
またこの冷蔵庫では、上記電装ユニット１８を設けるにあたって、前記電装ユニット１８の電装収納箱２０をこれと隣接する機械室３の機械室ケース３ａと連結してあるから、当該連結部分の機械的強度を向上させ、冷蔵庫本体天面に充填した発泡断熱材１５の発泡圧によって天面が浮き上がり変形するようなことを防止することができる。すなわち、この実施の形態では、前記冷蔵庫本体２の天面後部に設けてある機械室３の機械室ケース３ａの電装収納箱側と電装収納箱２０の機械室ケース側とを連結してある。これにより、電装ユニット１８と機械室３との接合部分の強度は相互補完作用によって向上し、冷蔵庫本体天井面に充填した発泡断熱材１５の発泡圧が前記電装ユニット１８と機械室３との接合部分に集中的に加わるようなことがあっても、何ら専用の補強部材を設けることなくその接合部分の変形を防止でき、電装ユニット１８および機械室３設置用の大きな開口が形成されて強度が弱くなりがちな天面であってもその変形を抑制し外観平面度の良好なものとすることができるのである。
【００３８】
特に、この実施の形態では、上記電装ユニット１８の電装収納箱２０と機械室３の機械室ケース３ａとの連結は、電装収納箱２０の機械室側開口縁部の長手方向に複数個設けた係止片２６を、前記機械室ケース３ａの冷蔵庫制御部側の開口縁部に設けた係止孔２７に嵌合弾着させて一体に係合させ連結してあるから、前記電装ユニット１８内への水侵入防止用の水切り溝２３を利用して合理的に両者を連結し強度向上させることができ、構成の簡素化が図れる。
【００３９】
また、上記天面１４に設けた電装ユニット１８は制御基板２１にインバータ等が搭載してあって熱を発するものであるが、この実施の形態ではこの電装ユニット１８と対向して真空断熱材１６が装着してあるから、熱発生源となる電装ユニット１８が設けてあっても天面１４の断熱性は良好に維持することができる。しかも天面全体を断熱するために設けた真空断熱材１６，１７は、庫内照明灯３０に対向して設けた真空断熱材１７と電装ユニット１８に対向して設けた真空断熱材１６とを別体にしてそれぞれ外箱２ｂ内面及び内箱２ｃ上面に貼り付け装着してあるから、天面１４の壁厚を厚くすることなく天面全体の断熱が可能となる。すなわち、一枚の直性状の真空断熱材を電装ユニット１８の下端面と庫内照明灯３０の上端面との間に設置すると、この真空断熱材の厚み分だけ天面の壁厚が厚くなるが、上記構成によれば電装ユニット１８側の真空断熱材１６の厚みは庫内照明灯３０の高さ寸法で吸収し、庫内照明灯３０側の真空断熱材１７の厚みは電装ユニット１８の高さ方向の寸法で吸収することができて、真空断熱材を設けたことによる厚み増加を解消することができるのである。
【００４０】
以上、本発明に係る冷蔵庫について、上記実施の各形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００４１】
例えば、本実施の形態では、電装ユニット１８の電装収納箱２０と機械室３の機械室ケース３ａとを連結させるに際し、電装収納箱２０側に係止片２６を、機械室ケース３ａ側に係止孔２７を形成したが、これは電装収納箱２０側に係止孔２７を、機械室ケース３ａ側に係止片２６を設けてもよいものである。
【産業上の利用可能性】
【００４２】
以上のように、本発明にかかる冷蔵庫は、電装ユニット上に水がこぼれたとしてもこの水が電装ユニット内に侵入するのを防止でき、水侵入による故障の恐れを解消して信頼性の高い冷蔵庫とすることができる。よって、家庭用冷蔵庫をはじめとして業務用冷蔵庫、自動販売機など他の冷凍冷蔵応用商品にも広く適用できる。
【符号の説明】
【００４３】
１  冷蔵庫
２  冷蔵庫本体
２ａ  扉
２ｂ外箱
２ｃ内箱
３  上部機械室（機械室）
３ａ  機械室ケース
４  空冷凝縮器
５  第１のファン
６  圧縮機
７  ファンリング
８  バイパス風路
９  下部機械室
１０  第２のファン
１１  蒸発皿
１２  連通風路
１４  天面
１５  発泡断熱材
１６、１７  真空断熱材
１８  電装ユニット
１９  保護ケース
２０  電装収納箱
２１  制御基板
２２  電装カバー
２３  水切り溝
２３ａ  外側壁
２３ｂ  内側壁
２４  フランジ部
２５  排出口
２６  係止片
２７  係止孔
２８  配線
２９  両端凹所
３０  庫内照明灯
【図１】
2015059699.tif 000003
【図２】
2015059699.tif 000004
【図３】
2015059699.tif 000005
【図４】
2015059699.tif 000006
【図５】
2015059699.tif 000007
【図６】
2015059699.tif 000008
【図７】
2015059699.tif 000009
【図８】
2015059699.tif 000010
【図９】
2015059699.tif 000011
【図１０】
2015059699.tif 000012
【図１１】
2015059699.tif 000013